(57)【特許請求の範囲】
【請求項１】
予めアドレス情報が所定の規則に従って配置され、そのアドレス情報に基づいて情報が再生されるように構成された記録媒体において、
上記アドレス情報は、セクタ毎の番号と複数の該セクタからなるクラスタ毎の番号とから構成され、該クラスタ毎の番号は、上位ビットと下位ビットとから構成され、
当該記録媒体のリードインエリアには、上記アドレス情報で構成される第１のアドレス信号と、該アドレス情報における下位ビット分のクラスタ毎の番号が付加情報に置換されている第２のアドレス信号とが記録されており、該第２のアドレス信号が間欠的に記録されている記録媒体。
【請求項２】
上記第１のアドレス信号及び上記第２のアドレス信号が、上記リードインエリアの全クラスタに亘って繰り返し記録されている請求項１記載の記録媒体。
【請求項３】
上記クラスタ毎の番号は、第１のクラスタ番号と第２のクラスタ番号と第３のクラスタ番号と第４のクラスタ番号とに分割されており、
上記第１のクラスタ番号は、全ての上記セクタに記録され、上記第２乃至第４のクラスタ番号のうち一つずつが、上記第１のクラスタ番号とともに連続する３つの上記セクタに亘って記録されている請求項１記載の記録媒体。
【請求項４】
上記付加情報の一部として、上記アドレス情報の一部を分割して構成したアドレス信号が記録される請求項１記載の記録媒体。
【請求項５】
上記付加情報は、アクセス手段、記録手段及び再生手段の上記記録媒体に対する最適なパラメータを決定する情報である請求項１記載の記録媒体。
【請求項６】
上記付加情報は、記録媒体の少なくとも一部に関しての用途及び／又は権利に関する情報である請求項１記載の記録媒体。
【請求項７】
正確なアドレス決定に必要なアドレス情報が、当該記録媒体の回転周期中に少なくとも２回記録される請求項１記載の記録媒体。
【請求項８】
予めアドレス情報が所定の規則に従って配置され、そのアドレス情報に基づいて情報が再生されるように構成された記録媒体を製造する記録媒体の製造方法において、
上記アドレス情報は、セクタ毎の番号と複数の該セクタからなるクラスタ毎の番号とから構成され、該クラスタ毎の番号は、上位ビットと下位ビットとから構成され、
上記記録媒体のリードインエリアに、上記アドレス情報で構成される第１のアドレス信号と、該アドレス情報における下位ビット分のクラスタ毎の番号が付加情報に置換されている第２のアドレス信号とを記録する記録工程を有し、
上記記録工程では、上記第２のアドレス信号を間欠的に記録する記録媒体の製造方法。
【発明の詳細な説明】
【０００１】
【発明の属する技術分野】
本発明は、記録媒体、及びその製造方法に関し、特に、プリフォーマットによりアドレス情報を記録したディスク記録媒体、及びディスク記録媒体の製造方法に関する。
【０００２】
【従来の技術】
近年、いわゆるマルチメディアの興隆に伴い、デジタルの静止画や動画などのような大容量のデータが取り扱われるようになっている。そのようなデータは、光ディスクなどの記録媒体に蓄積されることにより、必要に応じてランダムアクセスして再生される。光ディスクは、フロッピーディスクなどの磁気による記録媒体より記録密度が高く、光磁気ディスクにおいては、書き換えも可能であるので、上記のようにランダムアクセス可能な記録媒体として広く利用されている。
【０００３】
例えば、このような記録媒体として、いわゆるＭＤ（ソニー社商品名）（以下、第１のフォーマットという。）等の記録媒体が挙げられ、その製造過程の成型時に予めトラックが形成（プリフォーマット）されている。
【０００４】
このような記録媒体の一例として、図２６に、ディスク１０を示す。ディスク１０のトラックは、例えば、１．６μｍのトラックピッチで、内周側から外周側にかけてスパイラル状に形成されて（刻まれて）いる。そして、ディスク最内周側のトラックから外周方向へ、例えば約１．５ｍｍの幅にリードインエリア１０ａが形成され、それに続く外側には、レコーダブルエリア１０ｂが形成されディスクの大部分を占めている。さらに、最外周側にリードアウトエリア１０ｃが例えば約０．５ｍｍの幅で形成されている。このように形成されたトラックは、リードインエリア１０ａの内周からレコーダブルエリア１０ｂの外周にかけて、トラック方向に例えば約１６ｍｍの長さよりなる記録単位であるセクタに区切られ、３６セクタを単位として記録ブロックであるクラスタが構成されている。
【０００５】
図２７に示すように、各クラスタは、例えばＮ−１、Ｎ、Ｎ＋１、・・・のように連続したクラスタ番号が割り当てられ、さらに１クラスタを構成する各セクタは、例えば、１６進数でＦＣ乃至１Ｆのセクタ番号が割り当てられている。このようにして割り当てられたクラスタ番号とセクタ番号とを合わせた記録媒体のアドレス情報（以下、セクタアドレスという。）が構成されている。
【０００６】
また、このような記録媒体に対するデータの記録及び再生は、クラスタを最小単位として行われる。具体的には、目的クラスタのセクタＦＣにアクセスしてセクタＦＤ中央から記録又は再生を開始する。次クラスタのセクタＦＤ中央で記録又は再生を終了するまで、３６セクタ分に相当する長さにわたって連続的にデータを記録又は再生する。例えば第１のフォーマットの記録媒体においては、誤り訂正符号のインターリーブがセクタ内で完結しないため、上記ＦＣ乃至ＦＥのセクタはデータが記録できず、実際にはセクタ０乃至３１（１Ｆ）の３２セクタ分にのみデータが記録される。
【０００７】
クラスタ番号は、レコーダブルエリアの最内周に位置するクラスタを０とし、外周に向かって各クラスタ番号がカウントアップするように定義される。また、リードインエリアの最外周に位置するクラスタのクラスタ番号を−１とし、内周に向かって各クラスタ番号がカウントダウンするように定義する。そして、これらクラスタ番号とセクタ番号により、記録媒体全体にわたるセクタアドレスが構成される。
【０００８】
ところで、上記トラックの各エリアにおいては、アドレス情報の記録形式が異なっている。レコーダブルエリアおよびリードアウトエリアのトラックのアドレス情報は、グルーブと呼ばれる溝形状によって記録されている。しかし、リードインエリアのトラックはピット形状のみによってデータが記録されるため、アドレス情報もピット形状により記録されている。
【０００９】
リードインエリアのトラックは、ピット形状によってデータを記録するものであり、トラックに照射されるレーザ光の反射率の大小による記録信号によってデータが記録されている。そして、アドレス情報は、その記録信号にインターリーブ（混合）されて記録されている。以下にその詳細を示す。
【００１０】
図２８に示すように、第１のフォーマットの１セクタは、９８個のフレームと呼ばれる構成単位よりなり、各フレームは、先頭にフレーム同期パターン、次に８ビット（１バイト）のサブコーディング情報、続いてエラー訂正コードのパリティを含む３２ビット分のメインデータが記録される。この中でアドレス情報が記録されているのは、サブコーディング情報S0乃至S97の部分である。しかし、サブコーディング情報S0及びS1は、セクタの先頭を示す同期信号として使われているため、実際のデータは、それらを除いた残り９６個のサブコーディング情報S2乃至S97の部分である。９６個のサブコーディング情報の各ビットを集めて、Ｐ，Ｑ，Ｒ，Ｓ，Ｔ，Ｕ，Ｖ及びＷの８種類の９６ビット情報が構成され、その第２番目のサブコーディング情報であるＱチャンネル（以下、サブコードＱという。）にアドレス情報が記録されている。サブコードＱの構成を図２９に示す。
【００１１】
すなわち、サブコードＱは、先頭から５６ビット分の０と、１６ビット分のクラスタ番号と、８ビット分のセクタ番号と、そして１６ビット分のチェックコード（ＣＲＣ）との順に構成されている。これらがディスク上の各セクタを特定するアドレス情報をなし、各セクタへのアクセスを可能としている。
【００１２】
一方で、レコーダブルエリアとリードアウトエリアのトラックは、図３０に示すように、グルーブと呼ばれる溝形状となっている。この溝形状は、いわゆるＡＤＩＰ（ADress In Pre-groove）信号と呼ばれる２２．０５kHzを中心周波数としてＦＭ変調された信号により、アドレス情報に応じてトラック走査方向に対して直交する方向にわずかに蛇行している。このグルーブの蛇行により、ディスクの回転速度を制御するための基準信号が形成されるとともに、アドレス情報がＦＭ変調されて記録されている。このようにしてＡＤＩＰ信号に記録されたアドレス情報は、図３１のような構成となっている。
【００１３】
すなわち、先頭から４ビット分の同期信号sync、１６ビット分のクラスタ番号、８ビット分のセクタ番号、そして１４ビット分のＣＲＣの順に構成されている。これらがディスク上の各セクタを特定するアドレス情報（セクタアドレス）をなし、各セクタへのアクセスを可能としている。そして、このように構成された各セクタのＡＤＩＰ信号は、ちょうどセクタ長になるようにＦＭ変調されてトラックに連続して記録される。
【００１４】
以上に示したように、リードインエリアと、レコーダブルエリア及びリードアウトエリアとでは、アドレス情報の記録方法が異なっている。
【００１５】
以上のように構成されたディスク上の任意の目的セクタにアクセスする場合の手順を、図３２のフローチャートに示す。ステップＳ３０において、光学ヘッドの現在位置にあるピット形状またはグルーブ形状より、サブコードＱまたはＡＤＩＰ信号を読み取り、現在位置のアドレスを得る。ステップＳ３１において、ステップＳ３０で得た現在位置のアドレスより、目的セクタ（アドレス）までの距離を算出する。ステップＳ３２において、目的セクタからディスク１周前以内を目標として、光学ヘッド（Optical Head。以下、ＯＰという。）を記録媒体の半径方向に移動する。ステップＳ３３において、ＯＰ移動後の現在位置にあるサブコードＱまたはＡＤＩＰ信号を読み取り、現在位置のアドレスを得る。ステップＳ３４において、ステップＳ３３で得たアドレスより、目的セクタの前１周以内に到達したか否かを判定し、否であればステップＳ３１に戻り、ステップＳ３１乃至Ｓ３４を繰り返す。目的セクタの前１周以内に到達したならば、続くステップＳ３５において、ディスクの回転により目的セクタに達するまでアドレスを監視しながらトラックをトレースし、目的セクタに達したら、データの記録または再生を実行する。
【００１６】
以上に示したように、任意の目的セクタへアクセスする際には、ディスクに記録されているアドレス情報を基準にして目的セクタへのＯＰの移動距離を算出するため、アドレス情報は極めて重要な役割を担う。
【００１７】
以上説明したように、第１のフォーマットの記録媒体においては、リードインエリアにおいてはサブコードＱにより、またレコーダブルエリア及びリードアウトエリアにおいてはＡＤＩＰ信号によりアドレス情報を記録する構成としている。この様な構成とすることにより、以下のような特長がある。
【００１８】
すなわち、フロッピーディスクのようにディスクの使用前にフォーマット作業を行なう必要がない。これは、ディスクの成型時に予めアドレス情報が刻印されるためである。また、リードインエリアには、サブコードＱによるアドレス情報以外にも、メインデータ情報としてさまざまな情報が記録可能である。例えば、第１のフォーマットの記録媒体においては、レコーダブルエリアの開始アドレス、終了アドレス、最適記録パワーなどディスクのアクセスや記録時に有用な情報を記録することが可能である。また、ディスク成型時に、レコーダブルエリアの一部をリードインエリアと同様のピット形状で構成してメインデータを記録することもできる。これにより、記録可能なディスクでありながら、読み出し専用エリアを持つハイブリッド構成のディスクが実現できる。また、レコーダブルエリアにおいて、グルーブをＦＭ変調してアドレス情報を記録するため、アドレス情報のために特別な記録エリアを設けることなく、記録容量を最大限に利用できる。さらに、サーボ信号が途切れることなく、安定したサーボ制御が実現できる。
【００１９】
【発明が解決しようとする課題】
ところで、昨今の技術進歩により、磁気超解像（ＭＳＲ）技術に代表される高密度記録技術が実用化の時代を迎えるようになり、光磁気記録による記録密度は、ピットによる記録密度を大きく上回るようになった。このため、高密度記録技術を採用した同一のディスク上に、ピット領域とグルーブ領域とを構成することが困難となった。
【００２０】
しかしながら、ピット領域を設けずにグルーブ領域のみによってディスクを構成した場合、従来はディスク成型時にピットにより記録していた情報を記録する領域がなくなってしまう。このため、最適記録パワー等の情報の記録ができないという問題が発生した。
【００２１】
そこで本発明は、上述のような問題点に鑑み、従来のアドレス信号との互換性を保ちつつ、上述のような最適記録パワー等の付加情報も記録する方法及び手段を提供する。さらに、アクセス性能が低下することなく、付加情報の記録を可能とする方法及び手段を提供することを目的とする。また、記録可能な媒体でありながら、媒体全体又は一部分について、予め利用形態を指定する方法及び手段を提供することを目的とする。
【００２２】
【課題を解決するための手段】
本発明に係る記録媒体は、上述の課題を解決するために、予めアドレス情報が所定の規則に従って配置され、そのアドレス情報に基づいて情報が再生されるように構成された記録媒体において、上記アドレス情報は、セクタ毎の番号と複数の該セクタからなるクラスタ毎の番号とから構成され、該クラスタ毎の番号は、上位ビットと下位ビットとから構成され、当該記録媒体のリードインエリアには、上記アドレス情報で構成される第１のアドレス信号と、該アドレス情報における下位ビット分のクラスタ毎の番号が付加情報に置換されている第２のアドレス信号とが記録されており、該第２のアドレス信号が間欠的に記録されている。
【００２３】
このような記録媒体は、所定の規則に従って配置されたアドレス情報に付加情報が付加されたアドレス信号が再生されるように構成される。これにより、記録媒体には、付加情報を付加したアドレス信号が記録される。
【００２６】
また、本発明に係る記録媒体の製造方法は、上述の課題を解決するために、予めアドレス情報が所定の規則に従って配置され、そのアドレス情報に基づいて情報が再生されるように構成された記録媒体を製造する記録媒体の製造方法において、上記アドレス情報は、セクタ毎の番号と複数の該セクタからなるクラスタ毎の番号とから構成され、該クラスタ毎の番号は、上位ビットと下位ビットとから構成され、上記記録媒体のリードインエリアに、上記アドレス情報で構成される第１のアドレス信号と、該アドレス情報における下位ビット分のクラスタ毎の番号が付加情報に置換されている第２のアドレス信号とを記録する記録工程を有し、上記記録工程では、上記第２のアドレス信号を間欠的に記録する。
【００２７】
このような記録媒体の製造方法は、所定の規則に従って配置されたアドレス情報に付加情報を付加したアドレス信号を記録媒体に記録する。
【００３２】
【発明の実施の形態】
以下、本発明に係る第１の実施の形態の記録媒体について、図面を参照して詳細に説明する。第１の実施の形態の記録媒体は、従来のいわゆるＭＤ等の第１のフォーマットの記録媒体よりも記録密度を高めた第２のフォーマットの記録媒体に、本発明に係る記録媒体のアドレス信号を適用したものである。なお、第１の実施の形態の記録媒体は、第２のフォーマットに限定されるものではなく、他のフォーマットであっても構わない。
【００３３】
第１の実施の形態の記録媒体の記録エリアは、図２６の従来技術と基本的には同様に構成される。すなわち、ディスク１０最内周側のトラックから外周方向へリードインエリア１０ａが形成され、それに続く外側にはレコーダブルエリア１０ｂが形成され、トラックの大部分を占めている。さらに、最外周側にリードアウトエリア１０ｃが形成されている。
【００３４】
従来技術とは異なる点として、以下の点が挙げられる。すなわち、リードインエリア１０ａがレコーダブルエリア１０ｂと同様にグルーブ形状にて形成されていることと、セクタ及びクラスタのサイズや構造が変更されていることである。前者は、リードインエリア１０ａをピット形状で形成することが困難になったためである。また、後者は、記録密度の高密度化、並びに誤り訂正方式等の変更に伴うものである。
【００３５】
第１の実施の形態の記録媒体のトラックは、リードインエリア１０ａの内周からレコーダブルエリア１０ｂの外周にかけて、例えば約６ｍｍの長さよりなるセクタに区切られ、例えば１６セクタを単位として１クラスタが構成される。このようにして構成されるセクタ及びクラスタの構成を、以下詳細に説明する。
【００３６】
図１に、第２のフォーマットの記録媒体を構成するセクタ及びクラスタの一例を示す。各クラスタには、例えばＮ−１、Ｎ、Ｎ＋１、・・・のように連続したクラスタ番号が割り当てられ、０乃至１５（Ｆ）の番号が割り当てられた１６個のセクタで１クラスタを構成している。セクタ毎に記録されるアドレス情報（以下、セクタアドレスという。）は、セクタ番号とクラスタ番号とから構成され、同一クラスタ内のセクタアドレスのクラスタ番号は、１６個全てが同一の番号である。このように構成された記録媒体にアクセスしてデータの記録又は再生を行なう場合、クラスタがその最小単位となる。
【００３７】
また、第２のフォーマットの記録媒体においては、誤り訂正符号のインターリーブがクラスタ単位で完結する。ここで、クラスタＮを目的クラスタとすると、記録又は再生時には、その直前のクラスタＮ−１のセクタ１５（Ｆ）にアクセスし、クラスタＮのセクタ０から記録又は再生を開始し、クラスタＮのセクタ１５（Ｆ）の領域まで１６セクタ分の長さにわたって連続的にデータを記録または再生することになる。第２のフォーマットの記録媒体では、誤り訂正符号のインターリーブがクラスタ単位で完結するため、記録及び再生ともに、セクタ０乃至１５（Ｆ）を連続してアクセスする。
【００３８】
クラスタ番号は、レコーダブルエリアの最内周に位置するクラスタを０とし、外周に向かって各クラスタ番号がカウントアップするように割り当てられる。また、リードインエリアの最外周に位置するクラスタのクラスタ番号を−１とし、内周に向かって各クラスタ番号がカウントダウンするように割り当てられる。そして、これらクラスタ番号とセクタ番号により、記録媒体全体にわたるセクタアドレスが構成されている。
【００３９】
第２のフォーマットの記録媒体のＡＤＩＰ信号は、８４．６７２ｋＨｚを中心周波数としてＦＭ変調されており、それによりディスクの回転速度を制御するための基準信号を形成するとともに、アドレス情報がＦＭ変調されて記録されている。第２のフォーマットの記録媒体のＡＤＩＰ信号に本来記録されるべきアドレス情報は、図２のような構成になっている。
【００４０】
すなわち、先頭から４ビット分の同期信号sync（同期信号）、１６ビット分のクラスタ情報、４ビット分のセクタ情報、及び１８ビット分のＢＣＨパリティ（（誤り訂正コード）の順に４２ビットで構成されている。これらがディスク上の各セクタを特定するアドレス情報をなし、各セクタへのアクセスを可能としている。
【００４１】
ここで、第２のフォーマットを第１のフォーマットと比べると、ＡＤＩＰ信号のビット構成と、ＦＭ変調の中心周波数が異なっている。しかし、それ以外では、変調方式、総ビット数とも第１のフォーマットと同一である。また、既に実用化されている第２世代のＭＤであるＭＤ  ＤＡＴＡ２（ＭＤ２）とは同一である。
【００４２】
上述のように構成されたディスク上で任意のセクタにアクセスする手順は、従来技術の説明で図３２のフローチャートを用いて説明した手順と同様である。従って、ディスクに記録されているＡＤＩＰ信号のアドレス情報は、従来技術と同様、重要であることに変わりはない。
【００４３】
次に、アドレス認識の仕組みを詳細に説明する。図３に、セクタＭ−１乃至Ｍ＋１の付近をアクセスする際のタイミングを表すタイミングチャートを示す。各セクタのアドレス情報は上述したように、それぞれが同期信号sync、クラスタ番号、セクタ番号、及びパリティ（ＣＲＣ）の順に構成されている。そして各ＡＤＩＰ信号において、同期信号syncが検出された時をもってセクタの境界とみなし、セクタ同期パルスPsが生成される。次に、各セクタ同期パルスPsによりＡＤＩＰ信号からアドレス情報の取得が開始される。アドレス情報は、クラスタ番号、セクタ番号、パリティの順に読み込まれ、さらにそのアドレス情報の正誤判定が行われる。なお、この図３においては、便宜上クラスタの境界を同期信号syncとクラスタ番号の間としている。
【００４４】
アドレス情報の正誤判定において、アドレス情報が正しいと判定された場合は、取得されたアドレス情報が正規のアドレス情報のデータとして認識される。アドレス情報が誤りと判定された場合には、補間手段としての誤り訂正回路等により前後のアドレス情報の連続性をもとに補間処理が行われ、誤ったアドレス情報は本来あるべき正しい値に置き換えられる。誤り訂正回路によりアドレス情報が正しいと判定されたにもかかわらず、得られたアドレスが想定した値とは異なっている場合は、隣接トラックヘの飛び込みが発生したと判定され、ただちにトレース動作を中止して、エラー処理が実行される。なお、補間手段としては、誤り訂正機能を持つ、いわゆるオブジェクトとされるソフトウェアによって構成しても良い。
【００４５】
上述の手順により認識されたアドレス情報は、次のセクタ同期パルスPsで確定され、セクタアドレスが生成される。このセクタアドレスが得られたときは既にそのセクタを通過した後であるため、このセクタアドレスを確定させた同期パルスPsは、同時に、次のセクタの開始も意味する。同様にして、次のアドレス情報についても、続くＡＤＩＰ信号から取得が開始される。このようにして、その都度アドレス情報が認識され、セクタアドレスが生成される。
【００４６】
また、ＡＤＩＰ信号の同期信号syncは、他のデータと明確に区別できるように特殊なパターンとなっている。しかし、万一の誤判定を防止するため、所定の検出ウィンドウWsを設けている。すなわち、一旦発生したセクタ同期パルスから次の同期パルスまでの時間をタイマー等で測定して、所定のタイミングのみで同期信号syncを検出するように検出ウィンドウWsが設けられている。このため、検出ウィンドウWs以外のタイミングで発生する偽の同期信号syncパターンが排除されるようにする等の工夫も組み込まれている。
【００４７】
次にセクタ番号の持つ役割について説明する。上述したように、トラック上に配置される各セクタは、セクタ０乃至１５（Ｆ）までが周期的に繰り返し記録されている。このアドレスの連続性をもとに、補間手段によりアドレス情報の誤りを判定し、補間処理をすることができる。すなわち、図４のタイミングチャートに示すように、セクタ同期パルスPsが検出されたときに、実際のセクタアドレスと同じように０乃至１５（Ｆ）までカウントアップするアドレスカウンタを設け、アドレスカウンタと取得されたアドレス情報とを比較することで、アドレス情報の正当性を常に監視している。比較した結果、アドレス情報に誤りが発生した（誤りと判定した）場合、アドレスカウンタの値をもとに、誤りが発生したアドレス情報の補間処理が実行される。
【００４８】
また、セクタ番号は、クラスタの境界を示すクラスタ同期パルスPcを生成するためにも使用されている。すなわち、クラスタ同期パルスは、セクタ１５（Ｆ）が検出された次の同期信号syncにより、生成される。
【００４９】
以上説明したように、セクタ番号は、常にアドレスカウンタと比較されることで、セクタアドレスの正当性を監視するために重要である。また、セクタ番号は、クラスタ同期パルスを生成するためにも使用されている。
【００５０】
次に、クラスタ番号の割り当てについて説明する。第１の実施の形態の記録媒体では、前述のように、リードインエリアのクラスタにおいては負のクラスタ番号、レコーダブルエリア及びリードアウトエリアのクラスタにおいては正のクラスタ番号が割り当てられている。このうちクラスタ番号が０または正の領域、すなわちレコーダブルエリアとリードアウトエリアには、従来と同じようにＡＤＩＰ信号によってアドレス情報が記録されており、アクセス性能及びアクセス方法は従来の記録媒体に対するものと変わらない。
【００５１】
以上で説明したアドレス認識の仕組みにおいて、同期信号syncとセクタ番号はディスクの同期制御に重要な役割を担っているため、必要不可欠であることがわかる。従って、ＡＤＩＰ信号のセクタ番号を他の付加情報等に置換することは困難である。一方で、上述したように同一クラスタ内のＡＤＩＰ信号には、同一クラスタ番号が１６セクタに渡って記録されている。
【００５２】
そこで、本発明に係る実施の形態は、ＡＤＩＰ信号中のクラスタ番号を他の付加情報に置き換えする方法及び手段を提供するものである。但し、リードインエリアと他のエリアとは区別する必要があるため、クラスタ番号のＭＳＢ（Most Significant Bit；最上位ビット）は残しておく必要がある。以下に述べる第１の実施の形態の記録媒体においては、各セクタのＡＤＩＰ信号にアドレス情報以外の情報を記録しながらも、各セクタヘのアクセスを実現するのに充分な性能を実現している。
【００５３】
クラスタ番号が負の領域、すなわちリードインエリアのＡＤＩＰ信号には、アドレス情報の他、リードアウト開始アドレスや記録パワーなどの付加情報が、以下に述べる本発明の実施の形態に基づいて記録されている。ここで、本発明に係る記録媒体では、リードインエリアにおける１クラスタの長さが、ほぼディスク１回転に相当している。
【００５４】
図６に、第１の実施の形態におけるＡＤＩＰ信号の構成例を示す。このＡＤＩＰ信号は、図５に示すタイプＡ及びタイプＢの２種類のＡＤＩＰ信号より構成されている。タイプＡにおいては、本来のＡＤＩＰ信号と全く同様に、同期信号syncが４ビット分、クラスタ番号が上位８ビット分（クラスタ番号Ｈ）及び下位８ビット分（クラスタ番号Ｌ）の完全な形で１６ビット分、セクタ番号が４ビット分、及びＢＣＨパリティ（誤り訂正コード）１８ビット分の４２ビットより構成される。タイプＢにおいては、同期信号syncが４ビット分、クラスタ番号がアドレス情報の一部として上位８ビット分（クラスタ番号Ｈ）、クラスタ番号の下位８ビット分（クラスタ番号Ｌ）に替えて、付加情報が８ビット分、及びセクタ番号４ビット分の４２ビットより構成される。
【００５５】
タイプＡ及びタイプＢのＡＤＩＰ信号は、図６に示すように、規則性を持って配置されている。すなわち、例えば、セクタ７及びセクタ１５（Ｆ）にはタイプＡ、セクタ０乃至６及びセクタ８乃至１４（Ｅ）にはタイプＢのＡＤＩＰ信号が間欠的に配置されて記録される。１クラスタ内の１４個のタイプＢの付加情報バイトをまとめ、計１４バイトの付加情報レコードを構成する。付加情報は、図７に示すように、例えばディスクタイプ、属性コード、ユーザエリア開始アドレス、リードアウトエリア開始アドレス、サーボ信号補正値、再生レーザーパワー上限値、再生レーザーパワー線速補正係数、記録レーザーパワー上限値、記録レーザーパワー線速補正係数、記録磁界感度、磁界−レーザパルス位相差、パリティ等、記録媒体を記録再生する際の最適パラメータ等を含む各種情報が考えられる。これらがリードインエリアの全クラスタにわたって繰り返し記録されている。このようにして、同一クラスタ内のアドレス情報が間欠的に付加情報に置換されている。なお、付加情報は上述のものに限らない。
【００５６】
上述したような構成による本実施の記録媒体のディスクに対して、リードインエリアの特定セクタにアクセスするアクセス方法を、図８を用いて説明する。
【００５７】
ステップＳ１において、ＯＰにより現在位置におけるＡＤＩＰ信号からクラスタ番号を読み取る。次に、ステップＳ２において、読み取ったクラスタ番号について、最上位ビットが０か１か（クラスタ番号は負数か否か）を判定する。最上位ビットが０であればクラスタ番号は正数であり、すなわち現在のトラックはレコーダブルエリアである。従って、読み取ったＡＤＩＰ信号はそのままアドレス情報として使用することができるので、後述のステップＳ７で目的セクタとの相対距離を算出する。
【００５８】
ステップＳ２において、クラスタ番号の最上位ビットが１であれば、クラスタ番号は負数であり、すなわち現在のトラックはリードインエリアである。従って、クラスタ番号の下位８ビットは付加情報が記録されている可能性があるので、ステップＳ３でセクタ番号を参照する。もしセクタ番号が７又は１５であれば、読み取ったＡＤＩＰ信号はそのままアドレス情報として使用することができるので、後述のステップＳ７で目的セクタとの相対距離を算出する。また、セクタ番号が７及び１５以外であれば、ステップＳ４に進む。ここで、以上のステップＳ１乃至ステップＳ３は、アドレス情報と付加情報とを判別する判別手段において行なわれる。例えば、判別手段は、具体的にはプログラムにより実現されるものであり、例えばいわゆるオブジェクトとして構成されている。また、ハードウェアにより構成することも可能である。
【００５９】
ステップＳ４において、目的セクタのクラスタ番号とステップＳ１で読み取った現在位置のクラスタ番号との上位８ビットを比較し、一致していれば、ステップＳ６に進む。一致していなければ、ステップＳ５において相対距離の概算値を算出して、さらに後述のステップＳ９に進む。
【００６０】
ステップＳ６においては、セクタ７またはセクタ１５に達するまでトレースすることによりクラスタ番号の下位８ビットを読み取り、完全なアドレス情報を得た上で、ステップＳ７に進む。ステップＳ７においては、ステップＳ６で得た完全なアドレス情報より、目的セクタまでの正確な相対距離を算出し、ステップＳ８に進む。
【００６１】
ステップＳ８においては、ステップＳ７で算出した正確な相対距離より、現在位置が目的セクタの手前１回転以内であるか否かを判断する。現在位置が手前１回転以内にない場合、ステップＳ９に進む。ステップＳ９においては、ステップＳ５において算出した相対距離、又はステップＳ７において算出した相対距離を用いてＯＰのトラックジャンプを行ない、ジャンプ先のトラックにおいてステップＳ１からの処理を再び行なう。また、ステップＳ８において、現在位置が目的セクタの手前１回転以内である場合、ステップＳ１０に進む。ステップＳ１０においては、目的セクタまでそのままトレースして、目的セクタにアクセスすることができる。
【００６２】
ここで、一般に、ディスク媒体媒体におけるアクセス動作は、シーク動作時間と、回転待ち動作の組み合わせで構成される。シーク動作は、記録手段であり再生手段でもある光学ヘッドをラジアル方向に移動させて、トラック位置を確定させるまでの動作である。また、回転待ち動作は、トラック位置が確定された後、ディスクの回転により目的セクタが光学ヘッド位置に達するまでの動作である。
【００６３】
シーク動作に関して、近距離であれば正確なアドレス情報に基づいてジャンプするトラック数を算出し、横切るトラック数をカウントしながら高精度のシーク動作を実現できる。しかしながら、比較的長距離のシーク動作においては、高速化のため、比較的粗い精度で光学ヘッドを高速移動させるのが一般的である。特に、いわゆるＭＤに代表される光磁気ディスクにおいては、長距離のシーク動作は一のアクセス手段であるスレッドモータによりＯＰを移動し、近距離のシーク動作は他のアクセス手段である２軸アクチュエーターによる対物レンズの移動でアクセスする方法が一般的であり、シーク精度や可動範囲には大きな相違がある。
【００６４】
また、ディスクの回転待ち動作に関しては、最大で１回転の待ち時間が生じる可能性があり、待ち時間の期待値は、回転周期の１／２である。
【００６５】
ところで、第１の実施の形態の記録媒体に対するアクセス方法では、本来の記録媒体に対するアクセス方法と比較すると、下記のような特徴がある。まず、レコーダブルエリアにおいては、本来の場合と比較して遜色のない同等のアクセス性能が実現できる。これは、完全なアドレス情報がすべてのセクタのＡＤＩＰ信号に記録されているため、本来のＡＤＩＰ信号の構成内容と変わりがないからである。
【００６６】
また、リードインエリアにおける長距離シーク動作では、本来の場合と比較して遜色のない同等の長距離アクセス性能が実現できる。これは、クラスタ番号の上位８ビットがすべてのセクタのＡＤＩＰ信号に記録されているため、上位８ビットのみを用いて相対距離の概算値を算出でき、複数セクタをトレースする必要がないからである。長距離アクセスに関しては、従来のディスク記録媒体のアクセス方法においても、スレッドモータを駆動してＯＰを移動させる方法を採用しているので、その精度やオーバーヘッド等の性能には、大きな差はないと言える。
【００６７】
また、リードインエリアにおける近距離シークでは、精度のよいアドレス情報が必要であり、完全なアドレス情報を得るためにセクタ７またはセクタ１５を待つ必要がある。このため、完全なアドレス情報が全てのセクタに記録されている本来の場合と比較して、完全なアドレス情報を得るために時間がかかってしまう。しかし、第１の実施の形態の記録媒体においては、リードインエリアにおける１クラスタがほぼディスク１回転分に相当するため、完全なアドレス情報を持つセクタ７またはセクタ１５は、トラック円周上のほぼ対極に位置することになる。このため、アドレス情報の取得に要する時間は、本来の回転待ち動作にかかる時間の期待値が１／２回転程度であるのに対して、その約１／２の１／４回転程度を費やすのみであり、次のシークが高精度であることを考慮すると、アクセス時間全体に対するオーバーヘッドは小さいと言える。
【００６８】
また、リードインエリアにおける回転待ち動作に関しては、本来の場合と同等の回転待ち時間が実現できる。ここで、完全なアドレス情報は、目的セクタの直前までに取得できれば充分である。第１の実施の形態の記録媒体においては、常にセクタ０が目的セクタとなるため、少なくともセクタ１５のＡＤＩＰ信号に完全なアドレス情報を配置することにより、目的セクタの直前までには完全なアドレス情報が取得することができる。
【００６９】
以上で説明したように、本実施の形態の記録媒体に対して、上述したようなアクセス方法によれば、ＡＤＩＰ信号の一部にアドレス情報に替えて付加情報を配置しているにもかかわらず、本来の記録媒体に対してのアクセスと同等のアクセス性能が実現できる。なお、システムの用途に応じて、第１の実施の形態の記録媒体ではアクセス性能等の要求仕様を満たせない場合等においては、以下に示す他の実施の形態のような変形が可能である。
【００７０】
図９に本発明に係る第２の実施の形態を示す。この実施の形態では、完全なアドレス情報を持つＡＤＩＰ信号を、セクタ０及びセクタ８に配置している。すなわち、タイプＡのＡＤＩＰ信号をセクタ０及びセクタ８に、タイプＢのＡＤＩＰ信号をセクタ１乃至セクタ７、及びセクタ９乃至セクタ１５（Ｆ）に配置している。ここで、光磁気ディスクの記録時においては、記録開始位置であるセクタ０においてレーザ出力を急激に変化させるため、トラッキングが外れて隣接トラックをトレースし始める危険性が最も高い。従って、車載機器など振動の多い用途等や、高い信頼性が要求される場合等は、完全なアドレス情報を持つＡＤＩＰ信号をセクタ０に置くことにより、万一のアドレスの誤りを速やかに検出し、隣接トラックヘのダメージを最小限に抑えることが可能となる。
【００７１】
図１０に本発明に係る第３の実施の形態を示す。この実施の形態は、第１の実施の形態における近距離シーク動作のためのアドレス待ち時間にさらなる短縮が求められる場合に好適な実施の形態である。第１の実施の形態でセクタ７及びセクタ１５（Ｆ）に配置した、タイプＡのＡＤＩＰ信号を、さらに加えて、セクタ３及びセクタ１１（Ｂ）にも配置している。このように完全なアドレス情報を、クラスタ中に配置する割合を高くすることにより、アドレス待ち時間を短縮することが可能である。但し、その代償として、ＡＤＩＰ信号に記録できる付加情報は減少する。なお、配置する完全なアドレス情報は４箇所に限られるものではなく、付加情報が記録できる限りにおいて増減してもよいことは勿論である。
【００７２】
図１１に、本発明に係る第４の実施の形態を示す。この実施の形態は、第１の実施の形態において、長距離シーク動作の精度が不足している場合に好適な実施の形態である。第１の実施の形態で８ビットとした各ＡＤＩＰ信号に記録する付加情報を、半分の４ビットにすることにより、セクタ７とセクタ１５（Ｆ）以外のＡＤＩＰ信号に記録されるアドレスの精度を向上することができる。但し、その代償として、ＡＤＩＰ信号に記録できる付加情報は減少する。なお、付加情報のビット数は４ビットに限られるものではなく、長距離シーク動作の精度の要求を満たす限りにおいて増減しても良いことは勿論である。
【００７３】
図１２に、本発明に係る第５の実施の形態を示す。この実施の形態は、第１の実施の形態において、近距離シーク動作のアドレス情報の回転待ち時間、及び長距離シーク動作の精度の両方とも改善が要求されている場合に好適な実施の形態である。これは、付加情報の一部として、アドレス情報の一部を分割して構成したアドレス信号を記録するものである。例えば、図１２のように、アドレス情報のうち、１６ビットのクラスタ番号を上位ビットから４ビットづつ、それぞれクラスタＨＨ、クラスタＨＬ、クラスタＬＨ、及びクラスタＬＬのように４つに分割する。また、付加情報の８ビットを上位４ビットのデータＨ及び下位４ビットのデータＬの２つに分割する。そして、各ＡＤＩＰ信号において、クラスタＨＨは全てのセクタに記録し、残りのクラスタＨＬ、クラスタＬＨ、又はクラスタＬＬのうち一つづつを、クラスタＨＨとともに３セクタにわたって記録する。つまり、クラスタ番号１６ビットのうち、最上位４ビットのクラスタＨＨを含む８ビット分を記録し、付加情報のデータＨ及びデータＬを分けて、空いた８ビットにシフトして記録する訳である。このように配置することで、３セクタ以上をトレースすれば完全なクラスタ番号を得ることができる。さらに、一つのセクタに、例えばセクタ０には、付加情報を含まない完全なアドレス情報を配置することができる。
【００７４】
具体的には、例えばあるクラスタにおいて、セクタ０には付加情報を含まずに完全なアドレス情報を配置する。そして、セクタ１の本来クラスタ番号が入るべき１６ビットに、クラスタＨＨ、データ０Ｈ、データ０Ｌ及びクラスタＬＬを配置する。次のセクタ２の本来クラスタ番号が入るべき１６ビットには、クラスタＨＨ、データ１Ｈ、クラスタＬＨ及びデータ１Ｌを配置する。続くセクタ３の本来クラスタ番号が入るべき１６ビットには、クラスタＨＨ、クラスタＨＬ、データ２Ｈ及びデータ２Ｌを配置する。それ以降はセクタ１５まで同様にして記録する。このようにクラスタ番号及び付加情報を配置することにより、アドレス情報及び付加情報の配置が複雑になるものの、例えばセクタ１から３セクタ分をトレースすれば、完全なクラスタ番号及び充分な付加情報を得る。よって、付加情報の記録量を充分確保しながらも、比較的短時間で完全なアドレス情報を得るので、近距離シーク動作時の回転待ち時間、及び遠距離シーク動作時の精度とも改善される。なお、クラスタ番号及び付加情報の分割数やその配置は、上述の実施の形態に限られるものではなく、システムに要求される仕様に合わせて変更できることは明らかである。
【００７５】
図１３に、参考例としての第６の実施の形態を示す。この実施の形態は、第１の実施の形態において、付加情報の記録量が不足している場合に好適な実施の形態である。第１の実施の形態ではＡＤＩＰ信号の１セクタ中、セクタ０乃至セクタ６及びセクタ８乃至セクタ１５（Ｆ）の本来クラスタ番号が記録される１６ビットのうち、８ビット（１バイト）のみを付加情報で置き換えた。しかし、第６の実施の形態では、セクタ０乃至セクタ１４（Ｅ）のクラスタ番号１６ビット（２バイト）を全て付加情報で置き換え、セクタ１５（Ｆ）には付加情報を含まずに完全なアドレス情報を記録している。このため、１クラスタ中に記録することができる付加情報は、第１の実施の形態の１４バイトよりも多い３０バイトを確保することができる。但し、その代償として、完全なアドレス情報を得るためには、最大で１クラスタ分、すなわち１６セクタ分の区間をトレースし続ける必要がある。
【００７６】
図１４に、参考例としての第７の実施の形態を示す。上述の第１乃至第６の実施の形態は、従来（既存）のＡＤＩＰ信号との互換を保つという前提で、信号フォーマットは従来と同じ構成とした。しかし、本実施の形態では、ＡＤＩＰ信号の信号フォーマットを変更して、ＡＤＩＰ信号の記録密度を上げる。これにより、アドレス情報を付加情報に置換する（省略する）ことなく、追加して付加情報を記録することが可能となる。
【００７７】
具体的には、本来４２ビットにより構成していたＡＤＩＰ信号を、例えば、ＦＭ変調のキヤリア周波数を上げる、あるいは変調方式をＰＳＫ（Phase-Shift Keying；位相偏移キーイング）に変更する等の手法によりビット記録密度を上げ、５０ビットに増やしている。このため、完全なアドレス情報を記録しているにもかかわらず、付加情報８ビット分を追加して記録することができる。
【００７８】
図１５に、本発明に係る第８の実施の形態を示す。この実施の形態は、完全なアドレス情報を高速で取得したい場合に好適な実施の形態であり、具体的には、上述の第１乃至第６の実施の形態等を上述の実施の形態７に基づいて応用したものである。これにより、上述の第１乃至第６の実施の形態等に比べてアドレス情報の取得に要する時間が高速化する。例えば、１セクタ時間を待たずにアドレス情報を取得し、誤りを検出することができる。このため、例えば、適切にエラー処理等をすることが可能になる。例えば、万一レーザスポットが隣接トラックに飛び込んだ場合でも、隣接トラックのデータ破壊を誤り訂正で回復可能な範囲に抑えることができ、信頼性を大幅に向上することができる。
【００７９】
図１５の（Ａ）に示すＡＤＩＰ信号の記録密度の場合には、例えば、トラックＮにおいて、あるクラスタのセクタ０から、誤って隣接するトラックＮ＋１における他のクラスタのセクタ５に、レーザスポットが飛び込んでしまった場合を示している。この場合、最悪１セクタ区間トレースしなければ、アドレス情報の誤りを検出できない。ところが、例えば、図１５の（Ｂ）に示すように、第７の実施の形態等によりＡＤＩＰ信号の記録密度を本来の２倍以上に向上させたディスクにおいて、１セクタ区間にアドレス情報を２回以上連続して記録すると、最悪でも０．５セクタ区間でアドレス情報の誤りが検出できる。
【００８０】
なお、上述の第１乃至第８の実施の形態では、リードインエリアのみに付加情報を記録する構成としたが、上述の説明で明らかなように、レコーダブルエリアのＡＤＩＰ信号に付加情報を記録してもよいことは勿論である。
【００８１】
また、上述した各実施の形態は、それぞれ単独に適用されることを限定したものではなく、組み合わせて適用してもよい。図１６乃至図１９に、その組み合わせである第９の実施の形態を示す。この実施の形態は、リードインエリア以外の領域のＡＤＩＰ信号にも付加情報を記録し、さらには同一ディスク内を複数のエリアに分割し、各エリアの用途に応じて最適なＡＤＩＰ信号のフォーマットの採用を可能とし、複数形式のＡＤＩＰ信号フォーマットの混在を可能とするものである。
【００８２】
ところで、本発明の実施の形態で述べているアドレス情報は、特定のクラスタをディスク上のアドレス情報を読み取りながら正確にアクセスする目的で利用されるものである。しかし、ある程度の誤差を許容すれば、アドレス情報によらずメカニカルな機構によりアクセス位置の制御が可能である。実際に、既に製品化されている、いわゆるＭＤにおいて、ディスクの最内周にある１．５ｍｍ幅のリードインエリアにアクセスする場合、ドライブメカニズムの内周部に設けられた検出スイッチにヘッドを押し当てることで位置検出を行なっており、ディスク情報のすみやかな読み出しを実現している。
【００８３】
そこで、第９の実施の形態では、メカニカルにアクセスできるリードインエリアは上述の第１の実施の形態に従うものとし、リードインエリアに記録する付加情報のうち、例えば偶数クラスタには、図１９の（Ａ）に示すように第１の実施の形態と同様の付加情報を記録し、例えば奇数番目のクラスタには、図１９の（Ｂ）に示すように他のエリアのフォーマットコードを付加情報として記録しておく。ここで、フォーマットコードは、図１６のように、例えば、４ビットからなる形式コードと、４ビットからなる配置コードとを配置した８ビットからなる付加情報である。また、形式コードとは、図１７に示すように、１セクタのアドレス信号内における付加情報のビット割当、すなわち、タイプＢの形式を特定するものである。タイプＢの形式は、上述の各実施の形態で説明したものが考えられる。また、配置コードとは、１クラスタ内における正確なアドレス情報が記録されたセクタ、すなわち、タイプＡの配置場所を特定するものである。タイプＡの配置場所は、上述の各実施の形態で説明したもの等が考えられる。
【００８４】
このようにして、配置コードと形式コードとの組み合わせによるフォーマットコードを付加情報として記録することにより、同一ディスク内を複数のエリアに分割し、リードインエリア以外の領域のＡＤＩＰ信号にも付加情報を記録し、各エリアの用途に応じて最適なアドレス情報のフォーマットを採用することができる。
【００８５】
但し、実際には上記フォーマットの組み合わせが完全に自由であるわけではない。例えば、同一ディスク内では配置コードを統一し、特定番号のセクタを読めば必ず正確なアドレスが判明するようにするか、あるいは第１、第４及び第５の実施の形態だけを組み合わせ、必ずクラスタ番号上位４ビットは記録した上で、残り１２ビットで表される範囲は必ず同一エリアに属するようにするなど、誤って別のエリアに入った場合にも識別可能とする配慮が必要である。
【００８６】
また、上述の第１乃至第８の実施の形態では、同一の付加情報がリードインエリアの各クラスタに繰り返し記録される構成としたが、複数クラスタにわたって情報を記録するようにしてもよい。これにより、より多くの付加情報を記録することも可能である。
【００８７】
さらに、上述した各実施の形態においては、データ記録の最小単位をクラスタとし、目的クラスタヘのアクセス性能を大きく損なうことなく付加情報を記録するため、１クラスタ内で完全なアドレス情報を取得可能な構成としてきた。しかしながら、クラスタはあくまで記録の「最小」単位であって、実際のアプリケーション（適用例）では複数のクラスタを一単位として記録してもよい。このような場合、アドレス信号にアドレス情報を全く含まないクラスタを含むことも可能である。
【００８８】
図２０に、その一例として、第１０の実施の形態を示す。この実施の形態は、４クラスタを一つの書き替え単位とする場合を想定し、第（４ｎ＋３）クラスタのセクタＦにのみ、完全なクラスタアドレスを持つアドレス信号を形成し、他のセクタには付加情報を記録する構成としたものである。このような構成としたときには、セクタＦのアドレス情報を読み取ったとき、それが（４ｎ＋３）クラスタのものであるか否かを判定する必要がある。
【００８９】
例えば、クラスタ（４ｎ＋３）以外のセクタＦに置く付加情報は、必ず下位２ビットが１１以外の値となるようにルールを決めておけば、クラスタ番号の下位２ビットが１１、かつセクタ番号がＦであるときの値を正確なアドレス情報として認識することが可能となる。
【００９０】
また、別の方法としては、クラスタ（４ｎ＋３）のセクタＦに記録すべきセクタ番号Ｆを別の値、例えば７に置き換えてしまう方法がある。
【００９１】
この場合、セクタ番号の連続性が損なわれることになるが、６４セクタ中１セクタの欠損であり、充分信頼性のある補間が可能である。また、連続記録される最後のセクタアドレスの欠損であり、欠損が判明したときには記録動作が終了しているため、記録中のアドレス監視には影響しない。
【００９２】
また、（４ｎ＋３）以外のクラスタのセクタＦに置く付加情報に、制約を設ける必要がないという利点もある。
【００９３】
以上第１乃至第１０の実施の形態により、従来アドレス情報だけを記録していたＡＤＩＰ信号に付加情報を記録することが実現できたが、この技術を利用し、アドレス情報のみでは実現できない各種の応用が実現できる。
【００９４】
本発明に係る実施の形態の主な適用例である磁気超解像を用いた高密度の光磁気ディスクでは、ディスク基材の光学特性や記録膜の磁気特性等により、記録および再生時のレーザーパワーやフォーカスバイアスの最適値など、各種のパラメータを精密に装置側で制御する必要がある。これら各種の制御パラメータを、予め本発明に係るディスクに記録しておくことにより、異なる特性のディスクも安定して記録及び／又は再生をすることが可能である。そのためのディスクシステムの構成例を図２１に、その記録あるいは再生時の手順を示すフローチャートを図２２に示す。
【００９５】
図２１に示すディスクシステム１は、ディスク１０、ディスク駆動装置２０、及び制御回路３０とを備えている。ディスク１０は、本発明に係る付加情報を含むＡＤＩＰ信号が記録されている。ディスク駆動装置２０は、ディスク１０を駆動し、ディスク上の情報を読み取る部分として構成されている。制御回路３０は、ディスク駆動装置２０を制御するものとして構成され、ＲＯＭ（Read Only Memory）３１、ＲＡＭ（Random Access Memory）３２を備えている。ＲＯＭ３１は、仮の各種制御パラメータが記憶されている。各種制御パラメータとは、ディスク駆動装置２０によってディスク１０より情報を読み取る際のレーザーパワーや、フォーカスバイアス等である。ＲＯＭ３１に記憶されている仮の各種制御パラメータを使用して、ディスク駆動装置２０により読み取ったディスク１０固有の各種制御パラメータは、ＲＡＭ３２に記憶される。
【００９６】
次に、ディスクシステム１において、ディスク１０に対しての記録及び／又は再生を行なう際の動作について図２２を用いて説明する。ステップＳ２１において、ＲＯＭ３１に記憶された仮の各種制御パラメータを用いて、ディスク１０の再生のための再生コマンドが、制御回路３０によりディスク駆動装置２０に送信される。
【００９７】
ステップＳ２２において、ステップＳ２１で制御回路３０により送信された再生コマンドにより、ディスク駆動装置２０が駆動される。ディスク駆動装置２０によって、仮の各種制御パラメータを用いてディスク１０よりＡＤＩＰ信号が読み取られる。そのＡＤＩＰ信号より、ディスク固有の各種制御パラメータが抽出され、制御回路３０のＲＡＭ３２に記憶される。
【００９８】
ステップＳ２３において、ステップＳ２２でＲＡＭ３２に記憶されたディスク固有の各種制御パラメータを用いて、ディスク１０の再生のための再生コマンドが、制御回路３０によりディスク駆動装置２０に送信される。ステップＳ２４において、ステップＳ２３で制御回路３０により送信された再生コマンドにより、ディスク駆動装置２０が駆動される。ディスク駆動装置２０は、制御回路３０から送信されたディスク固有の各種制御パラメータを用いて、ディスク１０に対して記録及び／又は再生を行なう。
【００９９】
以上のようにして、本発明に係るディスクシステム１は、ディスク記録媒体に付加情報として各種制御パラメータを記録しておけば、上述のような手順により、仮の各種制御パラメータを用いてディスク固有の各種制御パラメータを読み取り、異なる特性のディスク記録媒体に対しても、ディスク固有の各種パラメータを用いて安定して記録及び／又は再生を行なうことができる。
【０１００】
また、本発明に係る記録媒体の主な適用対象である高密度の光磁気ディスクは、リムーバブル（交換可能）な記録媒体のため、多様な機器・用途に使用される。場合によっては、同一のディスクが複数種類の用途に混在して使用される可能性もある。従って、そのような状況では、著作権等の権利の保護はもとより、予期せぬ機器の組み合わせやプログラムのバグ、あるいは故意により、貴重なデータが失われたり改ざんされたりする危険がある。そこで、図２３に示すディスク駆動装置２では、ディスク記録媒体の一部または全部のセクタに属性コードを記録する一方、ハードウェアによる属性保護手段を設け、当該のセクタに対する記録又は再生は、属性保護手段に特定のコードを設定することにより実行している。そのため、予期せぬ又は許可されない記録ないしは再生からデータを保護することを実現している。
【０１０１】
ディスク駆動装置２は、ＡＤＩＰ・ＦＭ復調回路４０と、ＡＤＩＰ同期検出・アドレス／データ分離回路４１と、クラスタ属性判定回路４２と、データ書込回路４３及びデータ読出回路４４とから構成される。
【０１０２】
ＡＤＩＰ・ＦＭ復調回路４０は、入力されるＡＤＩＰ信号をＦＭ復調して、ＡＤＩＰ同期検出・アドレス／データ分離回路４１に出力する。ＡＤＩＰ同期検出・アドレス／データ分離回路４１は、ＡＤＩＰ・ＦＭ復調回路４０でＦＭ復調されたＡＤＩＰ信号より、同期信号を検出するとともに、アドレス情報と付加情報（データ）とを分離して、アドレス情報を外部に、また付加情報をクラスタ属性判定回路４２に出力する。
【０１０３】
クラスタ属性判定回路４２は、ＡＤＩＰ同期検出・アドレス／データ分離回路４１より出力された付加情報と、外部から入力されてくる属性コードとから、後述のデータ書込回路４３及びデータ読出回路４４による書き込みや、読み込みの信号を制限することで、データの記録、再生、複製、取捨選択等を制御し、予期せぬ記録又は再生からデータを保護する。
【０１０４】
データ書込回路４３は、外部から入力される記録データに所定の信号処理を施して、図示しないディスク記録媒体に書き込むためのデータWRITEを出力する。データ読出回路４４は、ディスク記録媒体から読み込まれたデータREADが入力され、所定の復号処理を施して外部に再生データとして出力する。
【０１０５】
このように構成されるディスク駆動装置２は、図示しないディスク記録媒体に対して、属性コードを書き込み、書き込んだ属性コードに応じて、図示しないディスク記録媒体に対しての書き込みや、記録されたデータの読み込みを制限する。これにより、ディスク駆動装置２は、図示しないディスク記録媒体に対しての予期せぬ記録又は再生からデータを保護する。
【０１０６】
以上説明したように、ディスク記録媒体の高密度化によって、ピットによる付加情報の記録が困難になったが、本発明に係る記録媒体により、ピット記録に依存することなく、従来技術におけるディスク記録媒体のアドレス記録方式と互換性を保ったまま、アドレス信号に付加情報を混合して記録することを実現できる。また、上述したように、本発明に係る記録媒体のアドレス記録方法により、アクセス性能を大きく損なうことはない。
【０１０７】
本発明に係る記録媒体のアドレス記録方法により、以下のような効果が得られる。まず、従来のアドレス信号と互換性を保ったまま、新たに付加情報を記録できるため、例えば複数世代にわたる記録媒体に対して記録及び／又は再生が可能なディスク駆動装置を実現できる。例えば、ディスク駆動装置を安価かつ容易に実現する。また、付加情報は、アドレス情報とともに記録媒体の成型時に記録するため、例えば、本発明に係る記録媒体のアドレス記録方法を適用したことによる記録媒体の製造コストの増加がない。例えば、ディスク記録媒体の製造を安価かつ容易に実現する。
【０１０８】
また、記録媒体固有の記録又は再生時の特性に依存するパラメータを付加情報として記録することにより、例えば、異なるメーカー又は製品間のディスク記録媒体及びディスク駆動装置の互換性を維持する。また、記録媒体上の全てのクラスタに付加情報を記録可能な構成としたため、本来のデータ記録容量を保ちながら、ディスク成形時に最大数百ｋバイトに及ぶデータ（付加情報）を記録することができる。また、記録媒体の一部分又は全体についての属性を、付加情報として記録媒体に記録し、属性情報に応じたデータ保護手段を駆動装置に備えることにより、例えばデータの信頼性を向上させることができる。以上が本発明に係る記録媒体の説明である。
【０１０９】
次に、本発明に係る記録媒体の製造装置の一実施形態の構成について、図２４を用いて説明する。本発明に係る記録媒体の製造装置５０は、ＡＤＩＰデータ発生回路５１，ＡＤＩＰエンコーダ５２，光学ヘッド５３及びモータ５４とにより構成され、図中のディスク６０に対して、ＡＤＩＰ信号を記録するものである。
【０１１０】
ＡＤＩＰデータ発生回路５１は、ディスク６０におけるアドレスを示すデータ、すなわちＡＤＩＰ信号を発生し、そのデータをＡＤＩＰエンコーダ５２に出力するようになされている。なお、ＡＤＩＰデータ発生回路５１には、上述した本発明の実施の形態に基づいた付加情報が入力され、ＡＤＩＰ信号には、付加情報が含まれるように構成されている。ＡＤＩＰエンコーダ５２は、ＡＤＩＰデータ発生回路５１により供給された、アドレス情報と付加情報とを含むＡＤＩＰ信号でバイフェーズ変調を行ない、その変調信号であるバイフェーズ信号で、所定の周波数のキャリア(搬送波)を周波数変調し、変調後の信号であるＦＭ信号を記録手段である光学ヘッド５３に出力するようになされている。
【０１１１】
光学ヘッド５３は、供給されたＦＭ信号に応じて、レーザ光を蛇行（ウォブリング）させながら、フォトレジストが表面に塗布された原盤であるディスク６０に照射するようになされている。モータ５４は、ディスク６０を所定の速度で回転駆動させるように構成されている。ディスク６０は、モータ５４によって所定の速度で回転されながら、光学ヘッド５３からのレーザ光を照射される。このようにして、ディスク６０の表面は、アドレス情報に対応する蛇行形状に感光された後、現像される。現像されたディスク６０には、蛇行した（ウォブリングした）グルーブが形成され、グルーブとグルーブの間には結果としてのランドが形成される。
【０１１２】
そして、ディスク６０からその表面の凹凸が転写された図示しないスタンパが作成され、さらに、そのスタンパを使用して、多数のレプリカディスクとしてディスク１０等が作成される。なお、ここでは、露光された結果生成される部分をグルーブ、露光されずに生成された部分、つまりグルーブが生成される結果として生成される部分をランドと称する。
【０１１３】
このようにして、ディスク１０のスタンパの作成時において、ディスク６０にレーザ光を照射し、アドレス情報に対応して、そのレーザ光をウォブリングさせることでアドレス情報をトラックの側壁に形成する。そして、ディスク６０からその表面の凹凸が転写されたスタンパを用いて、アドレス情報に対応してトラックの側壁が蛇行したディスク１０等を製造することができる。以上が本発明に係る記録媒体の製造装置の構成の説明である。
【０１１４】
次に、本発明に係る記録媒体の記録再生装置の概略構成について図２５を用いて説明する。この図２５において、光ディスク記録再生装置１００は、光磁気ディスクにデータを記録し、及び／又は光ディスクに記録したデータを再生する装置である。この光ディスク記録再生装置１００において、再生時には光学ヘッド１０２内のレーザ光源からのレーザ光が光学系を介して光ディスク１０１に照射され、その戻り光が光学ヘッド１０２内の光学系を介して受光素子に受光され、光電変換される。光学ヘッド１０２内の受光素子からの信号は、ＲＦ（Radio Frequency） アンプ１０３で増幅される。ここで、光ディスク１０１として、磁壁移動による磁気超解像、いわゆるＤＷＤＤ（Domain Wall Displacement Detection）の再生方式を用いるものの場合には、ＤＷＤＤ特有の低域成分の揺らぎを取るために微分される。微分された信号は、ノイズ低減のためのローパスフィルタを経て、Ａ／Ｄコンバータ１０４で量子化される。量子化された信号は、ＡＧＣ（Automatic Gain Control）・クランプ回路１０５で自動利得制御（ＡＧＣ）処理され、例えばディスクの反射率変動によるゲイン変動等を安定化する処理が行われる。
【０１１５】
ＡＧＣ・クランプ回路１０５からの出力信号は、イコライザ・ＤＰＬＬ（Digital Phase Locked Loop） 回路１０６に送られ、イコライジング処理を施されてＰＬＬ（位相ロックループ）で同期したクロックでサンプリングされたものと同等のＲＦ信号が出力される。この従来例では、Ａ／Ｄ変換後のＲＦ信号に対してＡＧＣ、イコライジング、ＤＰＬＬの各処理を施しているが、Ａ／Ｄ変換前のアナログＲＦ信号に対してＡＧＣ、イコライジング、アナログＰＬＬの各処理を行わせるようにしてもよい。
【０１１６】
イコライザ・ＤＰＬＬ回路１０６からの出力信号は、ビタビデコーダ１０７でビタビアルゴリズムに基づく復号処理が施され、復調回路１０８で記録時の変調、例えばＲＬＬ（１，７）変調の逆処理としての復調処理が施され、復調されたデータはバスラインを介してメモリ１１０上に展開される。メモリ１１０上に展開されたデータストリームは、誤り訂正ブロック単位でＥＣＣ（Error Correction Code） デコーダ／エンコーダ１０９によるエラー訂正が施され、さらにデスクランブラ・ＥＤＣ（Error Detection Code）デコーダ１１１によりデスクランブル処理及びＥＤＣデコード処理が施されてデータDATIとなり、このデータDATIが、転送クロック発生回路１１２からの転送クロックSCLKと共に外部に出力される。
【０１１７】
次に、図２５の光ディスク記録再生装置１００において、記録時には、転送クロック発生回路１１２からの転送クロックSCLKに同期して入力されたデータDATOは、スクランブラ・ＥＤＣエンコーダ１１３に送られて、スクランブル処理及びＥＤＣ符号化処理が施され、メモリ１１０に書き込まれる。
【０１１８】
データDATOは、エラー訂正パリティがＥＣＣデコーダ／エンコーダ１０９で追加された後、変調回路１１４で所定の変調方式、例えばＲＬＬ（１，７）変調方式で変調される。変調後のデータDATOは、磁気ヘッド１１５を経て磁気ヘッド１１７に供給されるとともに、レーザＡＰＣ・ドライバ回路１１６へ変調回路１１４からのレーザストローブ変調クロックが供給される。
【０１１９】
次に、図２５の光ディスク記録再生装置１００におけるサーボ系の信号処理を説明する。光学ヘッド１０２からの出力信号より、マトリックスアンプ１１８で抽出されたサーボエラー信号は、デジタルサーボ信号プロセッサ（ＤＳＳＰ）１１９にてサーボ信号についての位相補償、ゲイン・目標値設定等が施される。
【０１２０】
デジタルサーボ信号プロセッサ１１９からのサーボ信号は、ドライバ（駆動回路）１２０を経て、光学ヘッド１０２内の例えば対物レンズを２軸駆動するためのアクチュエータや、光学ヘッド１０２をディスク径方向に移動させるスレッドモータ１２１等に供給される。
【０１２１】
光ディスク１０１として、ランド部及びグルーブ部を記録トラックとするランド／グルーブ記録方式の光ディスクを用いる場合に、トラッキングエラー信号は、ランド部とグルーブ部では極性が逆になっているため、どちらを記録再生するかによってシステムコントローラ１２５がその極性を切り換える。
【０１２２】
また、ランド／グルーブ記録方式の光ディスクにおけるフォーカス検出では、非点収差法を用いた場合、ランド部とグルーブ部とでオフセットがでることが知られており、これによる影響を取り去るために、システムコントローラ１２５は、ランド部とグルーブ部とで別々にフォーカスオフセットを設定する。
【０１２３】
また、光ディスク１０１として、ランド部とグルーブ部との境界がアドレス情報に応じてＦＭ変調された搬送波信号によりトラック走査方向に対して直交する方向に揺動（ウォブル）されて形成されたアドレス記録方式を用いている場合に、このウォブル信号成分を抽出することでアドレス、いわゆるＡＤＩＰ情報を得ることができる。なお、ＡＤＩＰ情報には、本発明に基づいて、付加情報が含まれている。このとき、マトリックスアンプ１１８からの出力信号よりＡＤＩＰバンドパスフィルタ１２２を介して上記ウォブル信号成分が抽出され、ＡＤＩＰデコーダ１２３でアドレス情報と付加情報が復号される。復号されたアドレス情報と付加情報は、システムコントローラ１２５に転送される。なお、アドレス情報と付加情報とを判別する判別手段として、システムコントローラ１２５等によって実行される、いわゆるオブジェクトとされるプログラムが考えられる。また、ハードウェアによって判別手段を構成しても良い。
【０１２４】
ＡＤＩＰバンドパスフィルタ１２２の出力とＡＤＩＰデコーダ１２３内のＰＬＬ位相誤差の積分値及びシステムコントローラ１２５からの制御信号は、ＣＬＶ（Constant Linear Velocity）プロセッサ１２６へ入力されて、光ディスク１０１を一定線速度（ＣＬＶ）で回転させるための信号となり、ドライバ１２０を経て、ディスク回転駆動用のスピンドルモータ１２７に供給される。
【０１２５】
【発明の効果】
本発明に係る記録媒体は、予めアドレス情報が所定の規則に従って配置され、そのアドレス情報に基づいて情報が再生されるように構成された記録媒体において、アドレス情報に付加情報を付加して構成したアドレス信号が記録される。このため、アドレス信号に付加情報を付加することができる。
【０１２６】
また、本発明に係る記録媒体の製造装置は、予めアドレス情報が所定の規則に従って配置され、そのアドレス情報に基づいて情報が再生されるように構成された記録媒体に、アドレス情報に付加情報を付加して構成したアドレス信号を記録する。このため、記録媒体のアドレス信号に付加情報を付加することができる。
【０１２７】
また、本発明に係る記録媒体の製造方法は、上述の課題を解決するために、予めアドレス情報が所定の規則に従って配置され、そのアドレス情報に基づいて情報が再生されるように構成された記録媒体を製造する記録媒体の製造方法において、アドレス情報に付加情報を付加して構成したアドレス信号を記録媒体に記録する記録工程を有する。このため、記録媒体のアドレス信号に付加情報を付加することができる。
【０１２８】
また、本発明に係る記録媒体の記録再生装置は、上述の課題を解決するために、予めアドレス情報が所定の規則に従って配置され、そのアドレス情報に基づいて情報が再生されるように構成された記録媒体を記録再生する記録再生装置において、アドレス情報に付加情報を付加して構成されたアドレス信号を記録媒体から再生する。このため、記録媒体のアドレス信号から付加情報を再生することができる。
【０１２９】
また、本発明に係る記録媒体の再生方法は、上述の課題を解決するために、予めアドレス情報が所定の規則に従って配置され、そのアドレス情報に基づいて情報が再生されるように構成された記録媒体を再生する再生方法において、アドレス情報に付加情報を付加して構成されたアドレス信号を記録媒体から再生する再生工程を有する。このため、記録媒体のアドレス信号から付加情報を再生することができる。
【図面の簡単な説明】
【図１】第２のフォーマットの記録媒体のクラスタとセクタの構成を説明する図である。
【図２】第２のフォーマットの記録媒体のＡＤＩＰ信号に記録される本来のアドレス情報の構成を説明する図である。
【図３】第２のフォーマットの記録媒体にアクセスする際のアドレス認識を説明するタイミングチャートである。
【図４】第２のフォーマットの記録媒体のアクセス時、アドレス情報の誤り判定をして補間処理をする際に利用されるセクタ番号の連続性を説明するタイミングチャートである。
【図５】本発明に係る第１の実施の形態の記録媒体に記録される２種類のＡＤＩＰであるタイプＡ及びタイプＢの構成例を説明する図である。
【図６】図５の２種類のＡＤＩＰであるタイプＡ及びタイプＢのクラスタ内での配置例を説明する図である。
【図７】図５のタイプＢにより記録媒体に記録される付加情報の例を示す図である。
【図８】本発明に係る第１の実施の形態の記録媒体のリードインエリアの特性セクタにアクセスする際の手順を示すフローチャートである。
【図９】本発明に係る第２の実施の形態の記録媒体に記録される２種類のＡＤＩＰであるタイプＡ及びタイプＢのクラスタ内での配置例を説明する図である。
【図１０】本発明に係る第３の実施の形態の記録媒体に記録される２種類のＡＤＩＰであるタイプＡ及びタイプＢのクラスタ内での配置例を説明する図である。
【図１１】本発明に係る第４の実施の形態の記録媒体に記録される２種類のＡＤＩＰであるタイプＡ及びタイプＢの構成例を説明する図である。
【図１２】図１１の２種類のＡＤＩＰであるタイプＡ及びタイプＢの構成例と、そのクラスタ内での配置を説明する図である。
【図１３】本発明に係る第６の実施の形態の記録媒体に記録される２種類のＡＤＩＰであるタイプＡ及びタイプＢの構成例を説明する図である。
【図１４】本発明に係る第７の実施の形態の記録媒体に記録されるＡＤＩＰの構成例を説明する図である。
【図１５】本発明に係る第８の実施の形態の記録媒体の記録再生時に、隣接トラックにレーザスポットが飛び込んでしまった場合、アドレスの誤りを検出するタイミングを比較する概念図であり、（Ａ）は第１乃至第６の実施の形態の記録媒体の場合を示し、（Ｂ）は第８の実施の形態の記録媒体の場合を示している。
【図１６】本発明に係る第９の実施の形態の記録媒体のフォーマットコードの構成を説明する図である。
【図１７】図１６のフォーマットコードの形式コードの例を説明する図である。
【図１８】図１６のフォーマットコードの配置コードの例を説明する図である。
【図１９】本発明に係る第９の実施の形態の記録媒体に記録される２種類の付加情報の一例であり、（Ａ）は偶数クラスタに記録される付加情報の一例、（Ｂ）は奇数クラスタに記録される付加情報の一例を示す図である。
【図２０】本発明に係る第１０の実施の形態の記録媒体において、４クラスタを書き換え単位とする場合にクラスタ（４ｎ＋３）のセクタ１５（Ｆ）を、他のクラスタのセクタ１５（Ｆ）と区別するために、クラスタ（４ｎ＋３）のセクタ１５（Ｆ）を７に置き換えた状態を説明する図である。
【図２１】各種の制御パラメータを付加情報として記録した本発明に係る記録媒体に対しての記録再生をするためのディスクシステムの構成例を示す図である。
【図２２】各種の制御パラメータを付加情報として記録した本発明に係る記録媒体に対して、図２１のディスクシステムによりデータを再生をする際の手順を示すフローチャートである。
【図２３】データを保護するための属性コードを付加情報として記録した本発明に係る記録媒体に対して、データの記録再生をするディスク駆動装置の構成を示すブロック図である。
【図２４】本発明に係る記録媒体の製造装置の一構成例を示す図である。
【図２５】本発明に係る記録媒体の記録再生装置の概略構成を示す図である。
【図２６】成型時に予めトラックが構成された記録媒体のディスク領域の構成を説明する図である。
【図２７】第１のフォーマットの記録媒体のクラスタとセクタの構成と、データの記録の際の開始位置と終了位置を説明する図である。
【図２８】第１のフォーマットの記録媒体のリードインエリアにピットにより記録されるセクタの構成を説明する図である。
【図２９】図２８のサブコーディング情報のサブコードＱの構成を説明する図である。
【図３０】記録媒体のトラックに形成されたグルーブの形状を説明する図である。
【図３１】図３０のグルーブの形状により形成されたＡＤＩＰ信号の構成を説明する図である。
【図３２】記録媒体の任意のセクタにアクセスする際の手順を示すフローチャートである。
【符号の説明】
１  ディスクシステム、  ２  ディスク駆動装置１０  ディスク、２０  ディスク駆動装置、  ３０  制御回路、  ４１  ＡＤＩＰ同期検出・アドレス／データ分離回路、  ４２  クラスタ属性判定回路、  ４３  データ書込回路、  ４４データ読み出し回路、  ５０  記録媒体の製造装置、  １００  光ディスク記録再生装置
【図１】
0004576744.tif 000002
【図２】
0004576744.tif 000003
【図３】
0004576744.tif 000004
【図４】
0004576744.tif 000005
【図５】
0004576744.tif 000006
【図６】
0004576744.tif 000007
【図７】
0004576744.tif 000008
【図８】
0004576744.tif 000009
【図９】
0004576744.tif 000010
【図１０】
0004576744.tif 000011
【図１１】
0004576744.tif 000012
【図１２】
0004576744.tif 000013
【図１３】
0004576744.tif 000014
【図１４】
0004576744.tif 000015
【図１５】
0004576744.tif 000016
【図１６】
0004576744.tif 000017
【図１７】
0004576744.tif 000018
【図１８】
0004576744.tif 000019
【図１９】
0004576744.tif 000020
【図２０】
0004576744.tif 000021
【図２１】
0004576744.tif 000022
【図２２】
0004576744.tif 000023
【図２３】
0004576744.tif 000024
【図２４】
0004576744.tif 000025
【図２５】
0004576744.tif 000026
【図２６】
0004576744.tif 000027
【図２７】
0004576744.tif 000028
【図２８】
0004576744.tif 000029
【図２９】
0004576744.tif 000030
【図３０】
0004576744.tif 000031
【図３１】
0004576744.tif 000032
【図３２】
0004576744.tif 000033